(57)【要約】  本発明は、自動車のウインドウワイパー、ウインドウレギュレータ等のための駆動装置、特に歯車モータであって、伝動装置ハウジング（１４）内に設けられた伝動装置と、モータハウジング（１２）内に配置された、ステータ（１８）とロータ（２０）とを有する整流子モータとを有しており、該ロータ（２０）が整流子（２８）と共に、前記伝動装置ハウジング（１４）内に突入する軸（２２）上に配置されている形式のものに関する。本発明によれば、伝動装置ハウジング（１４）内に設けられた、２つの脚を有するブラシスプリング（３２，３３）のばね力を受けて整流子（２８）に当接する少なくとも２つのブラシ（３０，３１）のためのブラシホルダ（３３）が、ほぼＵ字形に構成されていて、ブラシスプリング（３２，３３）を少なくとも片側で形状結合式に支持するための係止手段（４６，４８）を有している。
2011504078.tif 000002
【特許請求の範囲】
【請求項１】
自動車のウインドウワイパー、ウインドウレギュレータ等のための駆動装置、特に歯車モータであって、伝動装置カバー（１６）によって閉鎖可能な伝動装置ハウジング（１４）と、該伝動装置ハウジング（１４）に結合されたモータハウジング（１２）と、該モータハウジング内に配置されたロータ（２０）とを有しており、該ロータ（２０）が整流子（２８）と共に、前記伝動装置ハウジング（１４）内に突入する軸（２２）上に配置されており、２つの脚を有するブラシスプリング（３２，３３）のばね力を受けて前記整流子（２８）に当接する少なくとも２つのブラシ（３０，３１）のためのブラシホルダ（３８）が設けられている形式のものにおいて、
ほぼＵ字形に構成されたブラシホルダ（３８）が伝動装置ハウジング（１４）内に配置されていて、前記ブラシスプリング（３２，３３）を少なくとも片側で形状結合式に支持するための係止手段（４６，４８）を有していることを特徴とする、駆動装置。
【請求項２】
前記係止手段（４６，４８）が各ブラシスプリング（３２，３３）の端部（５２，５４）を抱き込んでいる、請求項１記載の駆動装置。
【請求項３】
前記ブラシスプリング（３２，３３）が、ほぼＣ字形に構成されていて、中央でブラシ（３０，３１）を支持している、請求項１又は２記載の駆動装置。
【請求項４】
前記ブラシスプリング（３２，３３）が、組み込まれた状態でプリロードを受けて整流子（２８）に当接し、この際に前記ブラシスプリング（３２，３３）の係止手段（４６，４８）が前記ブラシホルダ（３８）に固定されている、請求項１から３までのいずれか１項記載の駆動装置。
【請求項５】
前記ブラシホルダ（３８）が、整流子（２８）の組み付け後にブラシスプリング（３２，３３）を組み付けるための複数の開口（４２，４４）を有している、請求項１から４までのいずれか１項記載の駆動装置。
【請求項６】
前記ブラシスプリング（３２，３３）を組み付けるための前記開口（４２，４４）がＵ字形のブラシホルダ（３８）の中央の脚（４０）内に位置している、請求項５記載の駆動装置。
【請求項７】
前記ブラシスプリング（３２，３３）のための形状結合式の係止手段（４６，４８）が、前記ブラシホルダ（３８）の、前記開口（４２，４４）とは反対側に配置されている、請求項１から６までのいずれか１項記載の駆動装置。
【請求項８】
前記ブラシスプリング（３２，３３）が、組み付けられた状態で、一方ではブラシホルダ（３８）の開放した側に支えられ、他方では、ブラシスプリング（３２，３３）及びブラシ（３０，３１）を組み立てるための開口（４２，４４）の側方で、Ｕ字形のブラシホルダ（３８）の中央の脚（４０）の壁部セクションに支えられている、請求項１から７までのいずれか１項記載の駆動装置。
【請求項９】
前記ブラシスプリング（３２，３３）がブラシ（３１，３２）に対して左右対称に構成されている、請求項１から８までのいずれか１項記載の駆動装置。
【請求項１０】
前記ブラシ（３１，３２）が、ブラシスプリング（３２，３３）に形状結合式に、かつ摩擦結合式に接続されている、請求項１から９までのいずれか１項記載の駆動装置。
【発明の詳細な説明】
【技術分野】
【０００１】
本発明は、請求項１の上位概念部に記載した自動車のウインドウワイパー、ウインドウレギュレータ等のための駆動装置、特に歯車モータに関する。
【０００２】
国際公開第０３／１００９２０号パンフレットによれば、電動機のためのブラシ装置が公知である。この電動機は、ブラシを整流子に押し付けるための板ばね状のブラシスプリングを有しており、この場合、ブラシ部の両側に、ブラシから離れる方向に延在する脚が設けられていて、この脚によってブラシスプリングはブラシホルダに接続されていて、弾性的に整流子に押し付けられるようになっている。ブラシスプリングの脚は、モータ軸線に対してずらして配置され、かつ折り曲げられたセクションを有しており、このセクションはブラシホルダにねじ結合されている。このような形式のエレメントは、製作に関しても、また組立に関しても、比較的高価な費用を必要とする。
【０００３】
発明の開示
これに対して、請求項１の特徴部に記載した構成を有する本発明による駆動装置は、使用されたブラシホルダ及び所属のブラシスプリングが、簡単かつ安価に製造可能であって、補助手段なしで、それも有利な形式で機械の整流子及びロータの組み付け後に、駆動装置内に容易に固定することができる、という利点を有している。これによって、特に整流子を取り付ける際にブラシを係止するための補助手段及び作業段階を省くことができる。
【０００４】
従属請求項に記載した手段によって、請求項１に記載した装置の有利な実施態様及び改良が可能である。この場合、特に有利には、ブラシホルダ内にブラシスプリングを取り付ける際に、ブラシホルダの係止手段がブラシスプリングのスプリング端部を抱き込み、それによってブラシスプリングの挿入が軽減されると同時に、スプリングの正確かつ確実な位置決めが保証される。有利な形式で、ブラシスプリングはほぼＣ字形に構成されていて、所属のブラシがスプリングの中央に配置されており、それによって、組み付けた状態でスプリング脚における力の均一な分布が可能であって、それによってブラシは均一に摩耗することになる。付加的に、ブラシスプリングをこのように配置及び構成したことによって、補助的な固定手段を必要とすることなしに、ブラシはプリロードを受けて運転中に確実かつ持続的に整流子に当接し、またブラシが摩耗することによって、ブラシの載設点が変化することはない。
【０００５】
ブラシが固定されているブラシスプリングを簡単かつ迅速に組み付けることに関連して、Ｕ字形のブラシホルダがその中央の脚に、組み付け時にブラシスプリングを挿入するための複数の開口を有しており、組み付け後に機械のロータ及び、ロータと共に整流子が予め位置決めされ、かつ組み付けられるようになっていれば、有利である。これによって、一方では整流子の組み付けが簡略化され、他方では、既に組み付けられた整流子が、ブラシを有するブラシスプリングを後から挿入する際に、ブラシスプリングを位置決めするための押圧力を提供することができる。この場合、ブラシスプリングのための形状結合式の係止手段が、有利な形式で、ブラシを取り付けるための開口に向き合った位置に配置されていて、それによってブラシスプリングの前方の端部が挿入時に既に正しい終端位置で把持されるようになっている。
【０００６】
本発明のその他の詳細及び実施態様は、従属請求項及び本発明の実施例に記載されている。
【０００７】
以下に図面に示した本発明の実施例について詳しく説明する。
【図面の簡単な説明】
【０００８】
【図１】本発明による駆動装置の概略的な縦断面図である。
【図２】図１の矢印II方向で見た整流子モータのブラシホルダの平面図である。
【図３】図１のIII−III線に沿った、整流子モータのブラシホルダの断面図である。
【０００９】
図１には、駆動装置の概略的な直流モータが符号１０で示されている。この直流モータ１０はモータハウジング１２内に配置されていて、該モータハウジングに伝動装置ハウジング１４がフランジを用いて結合されている。伝動装置ハウジングは、伝動装置カバー１６によって閉鎖されており、この伝動装置カバー１６は、組立時には伝動装置ハウジング内部にアクセスするために、取り外すことができる。
【００１０】
直流モータ１０は整流子電動機として構成されていて、ステータ１８とロータ２０とを有しており、該ロータ２０の軸２２が駆動軸として伝動装置ハウジング１４内に侵入していて、図示していない伝動装置部分を備えている。ロータコイル２４は、同様に軸２２に固定された整流子２８の薄片２６に導電接続されている。整流子の外周部に接するブラシ３０及び３１は、概略的に図示されたブラシスプリング３２，３３によって半径方向で整流子２８に押し付けられる。ブラシスプリング３２及び３３の接続部は、直流電圧源のプラス極３４及びマイナス極３６に接続されている。
【００１１】
図示の実施例では、直流モータ１０は、自動車のリヤウインドウワイパにおいて使用されているように、２つのブラシを備えている。しかしながら、モータの第２の速度段階の要求に応じて、第３のブラシを公知の形式で整流子に配置してもよい。第２の速度段階のために第３のブラシを設ける可能性は、以下のすべての実施例のためにも当てはまる。簡略化のために、以下では、Ｕ字形のブラシホルダ３８に２つのブラシを備えた構成のモータについて説明する。
【００１２】
図２は、図１の矢印II方向で見たブラシホルダ３８の平面図を示す。この場合、ブラシホルダ３８の中央脚４０だけが示されており、この中央脚４０は、モータハウジング１２内若しくは伝動装置ハウジング１４内への整流子２８及びロータ２０の組み付けに関連して、ブラシスプリング３２，３３を組み付けるための２つの開口４２，４４を備えている。ブラシホルダ３８自体は、選択的に、整流子３８の前又は後ろに組み付けることができる。
【００１３】
図３は、図１のIII−III線に沿った断面図であり、Ｕ字形のブラシホルダ３８の構成並びに、ブラシ３０及び３１を備えた２つのブラシスプリング３２及び３３の位置が詳しく示されている。この場合、ブラシ３０及び３１は、ブラシスプリング３２及び３３と形状結合（形状による束縛）的に及び付加的に摩擦結合（摩擦による束縛）的に、接着又ははんだ付けによって接続されている。ブラシ３０及び３１は、整流子２８の組み付け後に、開口４２及び４４を通って斜め上方からブラシホルダ内にもたらされる。この場合、ブラシ３０及び３１は弾性的に変形可能であり、図３に示した位置で確実に係止され、かつ位置決めされる。ブラシスプリング３２，３３及び、これらのブラシスプリング３２，３３に導電接続されたブラシ３０，３１の電気的な接続部は、図３の概略図では省かれている。
【００１４】
ブラシ３０，３１に対して左右対称で、かつＣ字形に構成されたブラシスプリング３２，３３を位置決めするために、それぞれ１つの係止手段４６，４８が、前記開口４２及び４４とは反対側の、ブラシスプリング３２，３３の中央部よりも大きく曲げられた、ブラシスプリング３２，３３の下側の端部５２，５４を抱き込み、整流子２８に当接することによって生ぜしめられたプリロードによって前記ブラシスプリングの持続的かつ正確な位置決めが確保される。追加的に、第３のブラシをブラシホルダ３８内に設ける場合には、２つのブラシスプリングが、ブラシホルダ３８の側方の脚部の領域においてそれぞれ斜めに、係止手段４６，４８に対応する付加的な係止手段を設けることによって、基本的に同様の形式で固定される。
【図１】
2011504078.tif 000003
【図２】
2011504078.tif 000004
【図３】
2011504078.tif 000005
【手続補正書】
【提出日】平成22年7月20日(2010.7.20)
【手続補正１】
【補正対象書類名】特許請求の範囲
【補正対象項目名】全文
【補正方法】変更
【補正の内容】
【特許請求の範囲】
【請求項１】
自動車のウインドウワイパー、ウインドウレギュレータ等のための駆動装置であって、伝動装置カバー（１６）によって閉鎖可能な伝動装置ハウジング（１４）と、該伝動装置ハウジング（１４）に結合されたモータハウジング（１２）と、該モータハウジング内に配置されたロータ（２０）とを有しており、該ロータ（２０）が整流子（２８）と共に、前記伝動装置ハウジング（１４）内に突入する軸（２２）上に配置されており、２つの脚を有するブラシスプリング（３２，３３）のばね力を受けて前記整流子（２８）に当接する少なくとも２つのブラシ（３０，３１）のためのブラシホルダ（３８）が設けられている形式のものにおいて、
ほぼＵ字形に構成されたブラシホルダ（３８）が伝動装置ハウジング（１４）内に配置されていて、前記ブラシスプリング（３２，３３）を少なくとも片側で形状結合式に支持するための係止手段（４６，４８）を有していることを特徴とする、駆動装置。
【請求項２】
前記駆動装置が、歯車モータである、請求項１記載の駆動装置。
【請求項３】
前記係止手段（４６，４８）が各ブラシスプリング（３２，３３）の端部（５２，５４）を抱き込んでいる、請求項１又は２記載の駆動装置。
【請求項４】
前記ブラシスプリング（３２，３３）が、ほぼＣ字形に構成されていて、中央でブラシ（３０，３１）を支持している、請求項１から３までのいずれか１項記載の駆動装置。
【請求項５】
前記ブラシスプリング（３２，３３）が、組み込まれた状態でプリロードを受けて整流子（２８）に当接し、前記ブラシスプリング（３２，３３）の係止手段（４６，４８）が前記ブラシホルダ（３８）に固定されている、請求項１から４までのいずれか１項記載の駆動装置。
【請求項６】
前記ブラシホルダ（３８）が、整流子（２８）の組み付け後にブラシスプリング（３２，３３）を組み付けるための複数の開口（４２，４４）を有している、請求項１から５までのいずれか１項記載の駆動装置。
【請求項７】
前記ブラシスプリング（３２，３３）を組み付けるための前記開口（４２，４４）がＵ字形のブラシホルダ（３８）の中央の脚（４０）内に位置している、請求項６記載の駆動装置。
【請求項８】
前記ブラシスプリング（３２，３３）のための形状結合式の係止手段（４６，４８）が、前記ブラシホルダ（３８）の、前記開口（４２，４４）とは反対側に配置されている、請求項１から７までのいずれか１項記載の駆動装置。
【請求項９】
前記ブラシスプリング（３２，３３）が、組み付けられた状態で、一方ではブラシホルダ（３８）の開放した側に支えられ、他方では、ブラシスプリング（３２，３３）及びブラシ（３０，３１）を組み立てるための開口（４２，４４）の側方で、Ｕ字形のブラシホルダ（３８）の中央の脚（４０）の壁部セクションに支えられている、請求項１から８までのいずれか１項記載の駆動装置。
【請求項１０】
前記ブラシスプリング（３２，３３）がブラシ（３１，３２）に対して左右対称に構成されている、請求項１から９までのいずれか１項記載の駆動装置。
【請求項１１】
前記ブラシ（３１，３２）が、ブラシスプリング（３２，３３）に形状結合式に、かつ摩擦結合式に接続されている、請求項１から１０までのいずれか１項記載の駆動装置。
【国際調査報告】
2011504078.tif 000006
2011504078.tif 000007
2011504078.tif 000008
2011504078.tif 000009